(57)【要約】【課題】構造物の周囲の遊水運動による抵抗を低減し、空洞化や沈下現象をなくすことができ、また構造物の安定性を高めることのできる軟弱地盤改良ブロックおよびそれを用いた地中構造物施工方法を提供する。【解決手段】地中埋設構造物３を受ける底版１ｂと地中埋設構造物３の両側面の幅よりも所定の寸法だけ広い間隔で対向する両側壁１ｃとを有し、かつ底版１ｂに上下方向の透水孔１ａを設け、両側壁１ｃに水平方向の透水孔を設けた発泡樹脂外ブロック１と、発泡樹脂外ブロック１の底版１ｂの上面と地中埋設構造物３の底面との間、および発泡樹脂外ブロック１の両側壁１ｃと地中埋設構造物３の両側面との間にそれぞれ装着され、発泡樹脂外ブロック１に接する側の面に発泡樹脂外ブロック１の透水孔１ａに連通する縦横の透水溝２ａを形成した発泡樹脂内ブロック２とからなる軟弱地盤改良ブロック。【選択図】  図５
2006328769.tif 000002
【特許請求の範囲】
【請求項１】
地中埋設構造物を受ける底版と前記地中埋設構造物の両側面の幅よりも所定の寸法だけ広い間隔で対向する両側壁とを有し、かつ前記底版に上下方向の透水孔を設け、前記両側壁に水平方向の透水孔を設けた発泡樹脂外ブロックと、
前記発泡樹脂外ブロックの底版の上面と前記地中埋設構造物の底面との間、および前記発泡樹脂外ブロックの両側壁と前記地中埋設構造物の両側面との間にそれぞれ装着され、前記発泡樹脂外ブロックに接する側の面に、前記発泡樹脂外ブロックの透水孔に連通する縦横の透水溝を形成した発泡樹脂内ブロックと
からなる軟弱地盤改良ブロック。
【請求項２】
地中埋設構造物を受ける底版と前記地中埋設構造物の両側面の幅よりも所定の寸法だけ広い間隔で対向する両側壁とを有し、かつ前記底版に上下方向の透水孔を設け、前記両側壁に水平方向の透水孔を設けた発泡樹脂外ブロックと、前記発泡樹脂外ブロックの底版の上面と前記地中埋設構造物の底面との間、および前記発泡樹脂外ブロックの両側壁と前記地中埋設構造物の両側面との間にそれぞれ装着され、前記発泡樹脂外ブロックに接する側の面に、前記発泡樹脂外ブロックの透水孔に連通する縦横の透水溝を形成した発泡樹脂内ブロックとからなる軟弱地盤改良ブロックを用いた地中構造物施工方法であって、
軟弱地盤を掘削して前記発泡樹脂外ブロックを敷設し、
前記発泡樹脂外ブロックの内周面に接するように前記発泡樹脂内ブロックを設置し、
前記発泡樹脂内ブロックの内側に前記地中埋設構造物を設置する
ことを特徴とする地中構造物施工方法。
【発明の詳細な説明】
【技術分野】
【０００１】
本発明は、側溝、大型水路、暗渠、電線ケーブル管等の構造物を軟弱地盤に施工する際に用いる発泡樹脂製の軟弱地盤改良ブロックおよびそれを用いた地中構造物施工方法に関する。
【背景技術】
【０００２】
軟弱地盤の特徴は、普通地盤より含水量が２〜５倍ほど多く、含水分は絶えず浮沈を起こし、地盤面に対して前後左右の遊水運動をしている。そのため、地盤面の反力、抵抗が弱く、道路、建物の沈下現象が起きる。
【０００３】
このような軟弱地盤に側溝、大型水路等の構造物を施工するために、発泡樹脂（発泡スチロール）ブロックを地下埋設し、その上に構造物を設置する工法が採用されている。
発泡樹脂は軽く、地下埋設をすると、浮揚能力が高く、地盤面への反力、抵抗が強まり、普通地盤と同じ強さに出来る。
【０００４】
図６および図７は従来の発泡樹脂ブロックを用いた施工方法を示すものであり、軟弱地盤中に直方体状の発泡樹脂ブロック１１を施工し、その上に敷きコンクリート１２を敷き、その上に、側溝ブロック１３（図６）や暗渠ブロック１４（図７）を設置していた。
【０００５】
しかし、直方体状の発泡樹脂ブロック１１を用いた場合、構造物の沈下は防ぐことができるものの、地盤内の大量の遊水運動は防げず、その上に施工される側溝ブロック１３、暗渠ブロック１４等の構造物が抵抗となり、構造物の上下・側面に大きな水道（みずみち）が出来る。特に地盤内部の乾燥時、構造物周囲の大きな水道（みずみち）は空洞となり、地盤の沈下、構造物の沈下、破損を起こす。
【０００６】
そこで、遊水への抵抗を防ぐため、発泡樹脂ブロックの内部に上下の貫通孔を設けたり（例えば特許文献１参照）、水平方向の縦横に貫通孔を設けたり（例えば特許文献２参照）する工法が提案された。
【０００７】
【特許文献１】特開平６−２５７１５６号公報
【特許文献２】特開平６−２８７９５５号公報
【発明の開示】
【発明が解決しようとする課題】
【０００８】
しかしながら、特許文献１，２に開示された発泡樹脂ブロックを用いた工法では、発泡樹脂ブロック上部の側溝、暗渠等の構造物には、遊水の抵抗があり、そのため地盤の空洞化が起き、地盤の陥没、水路側面に大きな穴が開くという問題があった。また、直方体状の発泡樹脂ブロックの上に構造物を設置するため、構造物の重心が高くなり、安定性が損なわれるという問題もあった。
【０００９】
そこで本発明は、構造物の周囲の遊水運動による抵抗を低減し、空洞化や沈下現象をなくすことができ、また構造物の安定性を高めることのできる軟弱地盤改良ブロックおよびそれを用いた地中構造物施工方法を提供することを目的とする。
【課題を解決するための手段】
【００１０】
前記課題を解決するため、本発明の軟弱地盤改良ブロックは、
地中埋設構造物を受ける底版と前記地中埋設構造物の両側面の幅よりも所定の寸法だけ広い間隔で対向する両側壁とを有し、かつ前記底版に上下方向の透水孔を設け、前記両側壁に水平方向の透水孔を設けた発泡樹脂外ブロックと、
前記発泡樹脂外ブロックの底版の上面と前記地中埋設構造物の底面との間、および前記発泡樹脂外ブロックの両側壁と前記地中埋設構造物の両側面との間にそれぞれ装着され、前記発泡樹脂外ブロックに接する側の面に、前記発泡樹脂外ブロックの透水孔に連通する縦横の透水溝を形成した発泡樹脂内ブロックとからなることを特徴とする。
【００１１】
また、本発明の地中構造物施工方法は、軟弱地盤を掘削して前記発泡樹脂外ブロックを敷設し、前記発泡樹脂外ブロックの内周面に接するように前記発泡樹脂内ブロックを設置し、前記発泡樹脂内ブロックの内側に前記地中埋設構造物を設置することを特徴とする。
【００１２】
本発明においては、従来の敷きコンクリートに代えて発泡樹脂内ブロックを構造物の両側、上面まで上げ、またその周囲を発泡樹脂外ブロックが包むようにする。これにより、構造物全体の重心Ｇを下げ、安定性を高くする。
発泡樹脂外ブロックには、底版と両側壁の厚みを貫通する透水孔が設けられ、また発泡樹脂内ブロックには、その透水孔と連通する縦横の透水溝が形成されているので、遊水運動の抵抗が構造物からなくなる。構造物の上面まで上げた発泡樹脂外ブロック側面の透水孔と発泡樹脂内ブロックに設けた透水溝により、発泡樹脂外ブロック側面と構造物側面接触部で遊水を絶えず循環させると、遊水は構造物を通り抜ける。これにより、構造物近傍での空洞化もなく、沈下現象も起きない。
【発明の効果】
【００１３】
本発明によれば、地中埋設構造物を受ける底版と地中埋設構造物の両側面の幅よりも所定の寸法だけ広い間隔で対向する両側壁とを有し、かつ底版に上下方向の透水孔を設け、両側壁に水平方向の透水孔を設けた発泡樹脂外ブロックと、発泡樹脂外ブロックの底版の上面と地中埋設構造物の底面との間、および発泡樹脂外ブロックの両側壁と地中埋設構造物の両側面との間にそれぞれ装着され、発泡樹脂外ブロックに接する側の面に、発泡樹脂外ブロックの透水孔に連通する縦横の透水溝を形成した発泡樹脂内ブロックを用いることにより、構造物の周囲の遊水運動による抵抗が低減し、空洞化や沈下現象をなくすことができ、また構造物の安定性を高めることができる。
【発明を実施するための最良の形態】
【００１４】
以下、本発明の実施の形態を、図面を用いて説明する。
図１は構造物として側溝ブロックを施工する場合の本実施の形態の施工例を示す断面図、図２は構造物として暗渠ブロックを施工する場合の本実施の形態の施工例を示す断面図、図３は本実施の形態における発泡樹脂外ブロックの斜視図、図４は本実施の形態における発泡樹脂内ブロックの一部を示すもので、（ａ）は正面図、（ｂ）は平面図、（ｃ）は側面図、図５は本実施の形態の構成を示す断面図である。
【００１５】
本実施の形態において、１は発泡樹脂（発泡スチロール）外ブロック（以下、単に「外ブロック」という）、２は発泡樹脂内ブロック（以下単に「内ブロック」という）、３は側溝ブロック、４は暗渠ブロックである。
【００１６】
外ブロック１には、底版１ｂと両側壁１ｃの厚みを貫通する透水孔１ａが設けられている。本例では、底版１ｂには上下方向の透水孔１ａのほか、厚み内に水平方向に透水孔１ａが設けられている。また内ブロック２には、縦横の透水溝２ａが格子状に形成されている。内ブロック２の透水溝２ａは、本例では半円状の形状としている。
【００１７】
図５に示すように、外ブロック１の内側に内ブロック２を設置し、内ブロック２の内側に側溝ブロック３や暗渠ブロック４等の構造物を設置したとき、外ブロック１の透水孔１ａは、内ブロック２の透水溝２ａと連通するようになっている。
【００１８】
内ブロック２の透水溝２ａは、外ブロック１の透水孔１ａと連通しているため、外ブロック１の周囲の遊水の循環機能を高めることができる。
【００１９】
従来の工法では、発泡樹脂ブロック１１の構造が低く、また発泡樹脂ブロック１１と構造物との間に敷きコンクリート１２があったため、構造物内面に含まれた遊水を上面部へ排出できず、構造物の左右両端部に空洞化が起きていたが、敷きコンクリート１２の代わりに透水溝２ａを有する内ブロック２を用いたので、外ブロック１の内面に含んだ遊水が浮上しても、抵抗なく内ブロック２内部の透水溝２ａを通り抜ける。遊水の水平運動に対しても、外ブロック１の両側面の透水孔１ａを通り、内ブロックの透水溝２ａに遊水が運ばれ、構造物３，４への遊水の抵抗は全くない。したがって、外ブロック１、内ブロック２、透水孔１ａ、透水溝２ａの組み合わせにより、構造物周囲の空洞化、地盤の沈下現象は起きない。
【００２０】
なお、上記の実施の形態では、構造物として、側溝ブロックおよび暗渠ブロックを例示したが、そのほかにも、大型水路、電線ケーブル管その他の地中埋設物に適用することができる。
【産業上の利用可能性】
【００２１】
本発明は、軟弱地盤へ設置した際に、構造物周囲の空洞化、地盤沈下を解消する地中構造物施工方法として、側溝、大型水路、暗渠、電線ケーブル管等の構造物の施工に利用することができる。
【図面の簡単な説明】
【００２２】
【図１】構造物として側溝ブロックを施工する場合の本実施の形態の施工例を示す断面図である。
【図２】構造物として暗渠ブロックを施工する場合の本実施の形態の施工例を示す断面図である。
【図３】本実施の形態における発泡樹脂外ブロックの斜視図である。
【図４】本実施の形態における発泡樹脂内ブロックの一部を示すもので、（ａ）は正面図、（ｂ）は平面図、（ｃ）は側面図である。
【図５】本実施の形態の構成を示す断面図である。
【図６】従来の発泡樹脂ブロックを用いた施工方法を示すものである。
【図７】従来の発泡樹脂ブロックを用いた施工方法を示すものである。
【符号の説明】
【００２３】
１  発泡樹脂外ブロック（外ブロック）
１ａ  透水孔
１ｂ  底版
１ｃ  側壁
２  発泡樹脂内ブロック（内ブロック）
２ａ  透水溝
３  側溝ブロック
４  暗渠ブロック
【図１】
2006328769.tif 000003
【図２】
2006328769.tif 000004
【図３】
2006328769.tif 000005
【図４】
2006328769.tif 000006
【図５】
2006328769.tif 000007
【図６】
2006328769.tif 000008
【図７】
2006328769.tif 000009